(57)【特許請求の範囲】
【請求項１】
制御部および計測部を含む測定器本体に着脱可能に接続されるコネクタと、被測定体から電気信号を検出するプローブピンと、上記プローブピンのピン先に向けて光を照射する照明用発光ダイオードと、上記照明用発光ダイオードの駆動を制御するとともに、上記制御部に所定の指示信号を与える操作スイッチとを備えている電気測定器用プローブ装置において、
電源としての内蔵電池を備えているとともに、上記コネクタは、上記プローブピンにて検出された上記電気信号を上記計測部に与える第１接続手段と、上記操作スイッチによる上記指示信号を上記制御部に伝達する上記第２接続手段とを有し、
上記第２接続手段に上記指示信号を光信号として上記制御部に送信する送信用発光ダイオードが用いられ、上記照明用発光ダイオードおよび上記送信用発光ダイオードの駆動電源を上記内蔵電池より得ており、上記送信用発光ダイオードは、発振周波数が一定の発振回路により駆動されることを特徴とする電気測定器用プローブ装置。
【請求項２】
上記コネクタが上記測定器本体に装着されたことを確認するコネクタ装着確認手段をさらに備えていることを特徴とする請求項１に記載の電気測定器用プローブ装置。
【請求項３】
上記コネクタ装着確認手段に磁気センサが用いられることを特徴とする請求項２に記載の電気測定器用プローブ装置。
【請求項４】
上記操作スイッチはオンオフスイッチからなり、上記照明用発光ダイオードは上記操作スイッチのオン時に点灯，オフ時に消灯し、上記操作スイッチのオン時および／またはオフ時に上記指示信号が上記制御部に送信されることを特徴とする請求項１ないし３のいずれか１項に記載の電気測定器用プローブ装置。
【請求項５】
制御部および計測部を含む測定器本体と、上記測定器本体に着脱可能に接続されるコネクタを有するプローブ装置とを備え、上記プローブ装置には、被測定体から電気信号を検出するプローブピンと、上記プローブピンのピン先に向けて光を照射する照明用発光ダイオードと、上記照明用発光ダイオードの駆動を制御するとともに、上記制御部に所定の指示信号を与える操作スイッチとが設けられており、上記コネクタには、上記プローブピンにて検出された上記電気信号を上記計測部に与える第１接続手段と、上記操作スイッチによる上記指示信号を上記制御部に伝達する上記第２接続手段とが含まれている電気測定器において、
上記第２接続手段が、上記プローブ装置側に設けられた送信用発光ダイオードと上記測定器本体側に設けられた受光素子とを含むフォトカプラーからなり、
上記プローブ装置は、電源としての内蔵電池を備え、上記照明用発光ダイオードおよび上記送信用発光ダイオードの駆動電源を上記内蔵電池より得ており、上記プローブ装置側において、上記送信用発光ダイオードは発振周波数が一定の発振回路により駆動され、上記測定器本体側の制御部は、上記受光素子の受信信号の周波数が上記発振周波数と同一周波数である場合、上記測定器本体に上記プローブ装置が接続されていると判断することを特徴とする電気測定器。
【請求項６】
上記コネクタが上記測定器本体に装着されたことを確認するコネクタ装着確認手段をさらに備え、上記制御部は、上記コネクタが未装着の場合には、上記受光素子の出力を無効とすることを特徴とする請求項５に記載の電気測定器。
【請求項７】
上記コネクタ装着確認手段に、上記コネクタ側に設けられた永久磁石を被検出体とする磁気センサが用いられることを特徴とする請求項６に記載の電気測定器。
【請求項８】
上記操作スイッチはオンオフスイッチからなり、上記照明用発光ダイオードは上記操作スイッチのオン時に点灯，オフ時に消灯し、上記操作スイッチのオン時および／またはオフ時に上記指示信号が上記制御部に送信され、上記制御部は上記指示信号に基づいて上記計測部から測定データを得て所定の測定処理を実行することを特徴とする請求項５ないし７のいずれか１項に記載の電気測定器。
【発明の詳細な説明】
【技術分野】
【０００１】
本発明は、デジタルマルチメータ等で使用される電気測定器用プローブ装置および電気測定器に関し、さらに詳しく言えば、接続機器としてのコネクタに関するものである。
【背景技術】
【０００２】
デジタルマルチメータ等に用いられるプローブ装置には、操作性を考慮して、プローブピンのピン先に光を照射するライトや、測定器本体（ＤＭＭ）に指示信号を与える操作スイッチを有するものがある。その従来装置の一例の外観を図３に示し、図４に回路構成図を示し、これについて説明する。
【０００３】
これによると、このプローブ装置１は、測定作業者によって把持される細長い筒状のグリップ２を備え、その後端には電気ケーブル４を介してコネクタ３が連結されている。コネクタ３は、図示しない測定器本体に着脱可能に接続される。
【０００４】
グリップ２の先端側には、図示しない被測定体から電気信号を検出するプローブピン５と、プローブピン５のピン先に向けて光を照射するライトとしての照明用発光ダイオード６とが設けられている。また、グリップ２の例えば上面側には、操作スイッチ７が設けられている。
【０００５】
図４に示すように、コネクタ３内には、プローブピン５の出力端子５ａ、照明用発光ダイオード６に対する給電端子６ａ，６ｂ、操作スイッチ７による指示信号を測定器本体の制御部に与える制御信号出力端子７ａ，７ｂとが設けられている。
【０００６】
操作スイッチ７は、オンオフスイッチで、この例において、照明用発光ダイオード６の点灯，消灯スイッチを兼ねる連動スイッチとして構成されている。
【０００７】
図示されていないが、このプローブ装置１は、プローブピン５と対として用いられるコモン側のプローブピンを有し、コモン側のプローブピンは、コネクタ３とは別に測定器本体のコモン端子に接続される。
【０００８】
コネクタ３を測定器本体に接続することにより、測定器本体側から給電端子６ａ，６ｂを介して照明用発光ダイオード６に電源が供給されるともに、プローブピン５が出力端子５ａを介して測定器本体内の計測部に接続され、制御信号出力端子７ａ，７ｂが測定器本体内の制御部に接続される。
【０００９】
動作の一例として、操作スイッチ７をオンにすることにより、測定器本体内の制御部に測定開始信号が与えられるとともに、照明用発光ダイオード６が点灯する。また、プローブピン５にて検出された被測定体の電気信号（測定信号）がＡ／Ｄ変換器を介して測定器本体内の計測部に取り込まれる。
【００１０】
測定終了時に、操作スイッチ７をオフにすると、照明用発光ダイオード６が消灯するとともに、制御部から計測部にホールド信号が出され、計測部に取り込まれた測定データがホールドされ、制御部にて所定の測定演算処理が行われる。このようなプローブ装置の類例として特許文献１が挙げられる。
【先行技術文献】
【特許文献】
【００１１】
【特許文献１】特開２００９−１２１８７７号公報
【発明の概要】
【発明が解決しようとする課題】
【００１２】
上記従来例のように、照明用発光ダイオード６や操作スイッチ７を備える場合、コネクタ３には、プローブピン５用の出力端子５ａのほかに、照明用発光ダイオード６用の給電端子６ａ，６ｂおよび操作スイッチ７用の制御信号出力端子７ａ，７ｂが設けられることから、コネクタ３の構造が複雑になる。
【００１３】
そればかりでなく、特に給電端子６ａ，６ｂが存在するため、各端子間に安全性を見込んで所定の沿面離間距離が必要となり、これがコネクタ３を大型にしている。また、端子数が多くなることにより、接触不良のリスクが高まる、という問題がある。
【００１４】
したがって、本発明の第１の課題は、プローブピン照明用の発光ダイオードや測定制御用の操作スイッチを有するプローブ装置において、測定器本体に接続するコネクタを小型かつ簡素化するとともに、接続の信頼性を高めることにある。また、本発明の第２の課題は、測定器本体と、コネクタを介して測定器本体に接続されるプローブ装置とを有する電気測定装置において、コネクタ部分から入り込む外乱光による誤動作を確実に防止することにある。
【課題を解決するための手段】
【００１５】
上記した第１の課題を解決するため、請求項１に係る発明は、制御部および計測部を含む測定器本体に着脱可能に接続されるコネクタと、被測定体から電気信号を検出するプローブピンと、上記プローブピンのピン先に向けて光を照射する照明用発光ダイオードと、上記照明用発光ダイオードの駆動を制御するとともに、上記制御部に所定の指示信号を与える操作スイッチとを備えている電気測定器用プローブ装置において、
電源としての内蔵電池を備えているとともに、上記コネクタは、上記プローブピンにて検出された上記電気信号を上記計測部に与える第１接続手段と、上記操作スイッチによる上記指示信号を上記制御部に伝達する上記第２接続手段とを有し、上記第２接続手段に上記指示信号を光信号として上記制御部に送信する送信用発光ダイオードが用いられ、上記照明用発光ダイオードおよび上記送信用発光ダイオードの駆動電源を上記内蔵電池より得ており、上記送信用発光ダイオードは、発振周波数が一定の発振回路により駆動されることを特徴としている。
【００１７】
請求項２に係る発明は、請求項１において、上記コネクタが上記測定器本体に装着されたことを確認するコネクタ装着確認手段をさらに備えていることを特徴としている。
【００１８】
請求項３に係る発明は、請求項２において、上記コネクタ装着確認手段に磁気センサが用いられることを特徴としている。
【００１９】
請求項４に係る発明は、請求項１ないし３のいずれか１項において、上記操作スイッチはオンオフスイッチからなり、上記照明用発光ダイオードは上記操作スイッチのオン時に点灯，オフ時に消灯し、上記操作スイッチのオン時および／またはオフ時に上記指示信号が上記制御部に送信されることを特徴としている。
【００２０】
上記した第２の課題を解決するため、請求項５に係る発明は、制御部および計測部を含む測定器本体と、上記測定器本体に着脱可能に接続されるコネクタを有するプローブ装置とを備え、上記プローブ装置には、被測定体から電気信号を検出するプローブピンと、上記プローブピンのピン先に向けて光を照射する照明用発光ダイオードと、上記照明用発光ダイオードの駆動を制御するとともに、上記制御部に所定の指示信号を与える操作スイッチとが設けられており、上記コネクタには、上記プローブピンにて検出された上記電気信号を上記計測部に与える第１接続手段と、上記操作スイッチによる上記指示信号を上記制御部に伝達する上記第２接続手段とが含まれている電気測定器において、
上記第２接続手段が、上記プローブ装置側に設けられた送信用発光ダイオードと上記測定器本体側に設けられた受光素子とを含むフォトカプラーからなり、上記プローブ装置は、電源としての内蔵電池を備え、上記照明用発光ダイオードおよび上記送信用発光ダイオードの駆動電源を上記内蔵電池より得ており、上記プローブ装置側において、上記送信用発光ダイオードは発振周波数が一定の発振回路により駆動され、上記測定器本体側の制御部は、上記受光素子の受信信号の周波数が上記発振周波数と同一周波数である場合、上記測定器本体に上記プローブ装置が接続されていると判断することを特徴としている。
【００２２】
請求項６に係る発明は、請求項５において、上記コネクタが上記測定器本体に装着されたことを確認するコネクタ装着確認手段をさらに備え、上記制御部は、上記コネクタが未装着の場合には、上記受光素子の出力を無効とすることを特徴としている。
【００２３】
請求項７に係る発明は、請求項６において、上記コネクタ装着確認手段に、上記コネクタ側に設けられた永久磁石を被検出体とする磁気センサが用いられることを特徴としている。
【００２４】
請求項８に係る発明は、請求項５ないし７のいずれか１項において、上記操作スイッチはオンオフスイッチからなり、上記照明用発光ダイオードは上記操作スイッチのオン時に点灯，オフ時に消灯し、上記操作スイッチのオン時および／またはオフ時に上記指示信号が上記制御部に送信され、上記制御部は上記指示信号に基づいて上記計測部から測定データを得て所定の測定処理を実行することを特徴としている。
【発明の効果】
【００２５】
本発明の請求項１に係る電気測定器用プローブ装置によれば、電源としての内蔵電池を備えているとともに、操作スイッチによる指示信号を測定器本体側の制御部に伝達するコネクタ内における第２接続手段として、上記指示信号を光信号として上記制御部に送信する送信用発光ダイオードを用い、プローブピン照明用の発光ダイオードおよび送信用発光ダイオードの駆動電源を内蔵電池より得るようにしたことにより、コネクタ内に設けられる測定器本体との接続手段は、プローブピンにて検出された電気信号を測定器本体側の計測部に与える第１接続手段と、上記送信用発光ダイオード（第２接続手段）だけでよく、照明用発光ダイオードに対する測定器本体側からの給電端子は不要となることから、測定器本体に接続するコネクタを小型かつ簡素化し得るとともに、接続の信頼性を高めることができる。
【００２６】
また、本発明の請求項６に係る電気測定器によれば、請求項１に係る電気測定器用プローブ装置との組み合わせで、測定器本体側に上記送信用発光ダイオードの相手方となる受光素子を備え、上記送信用発光ダイオードが発振周波数が一定の発振回路により駆動される請求項７においては、受光素子の受信信号の周波数が上記発振周波数と同一周波数である場合には、測定器本体に上記プローブ装置が接続されていると判断し、上記コネクタが上記測定器本体に装着されたことを確認するコネクタ装着確認手段をさらに備えている請求項８においては、上記制御部は、上記コネクタが未装着の場合には、上記受光素子の出力を無効とするようにしたことにより、受光素子に入り込む外乱光による誤動作を確実に防止することができる。
【図面の簡単な説明】
【００２７】
【図１】本発明の第１実施形態を示す模式図。
【図２】本発明の第２実施形態を示す模式図。
【図３】電気測定器用プローブ装置で、プローブピンのピン先に光を照射するライトおよび測定器本体に指示信号を与える操作スイッチを有する従来例を示す外観図。
【図４】上記従来例を示す回路構成図。
【発明を実施するための形態】
【００２８】
次に、本発明の第１実施形態を図１により、また、本発明の第２実施形態を図２により説明するが、本発明はこれに限定されるものではない。
【００２９】
図１には、本発明の第１実施形態に係るプローブ装置１０と測定器本体２０とを含む電気測定器が示されている。
【００３０】
プローブ装置１０は、プローブ本体１０Ａと、測定器本体２０に対して着脱可能なコネクタ１０Ｂとを有し、これらは電気ケーブル１０Ｃを介して接続されている。なお、プローブ本体１０Ａ，コネクタ１０Ｂおよび電気ケーブル１０Ｃは、それぞれ、先の図３におけるグリップ２，コネクタ３および電気ケーブル４に対応している。
【００３１】
プローブ本体１０Ａには、図示しない被測定体から電圧，抵抗，電流等の電気信号（測定信号）を検出するプローブピン１１が設けられており、コネクタ１０Ｂには、プローブピン１１の出力端子１１ａが設けられている。
【００３２】
プローブピン１１と出力端子１１ａは、電気ケーブル１０Ｃ内の所定の配線を介して接続されている。出力端子１１ａには、例えばバナナプラグ（通称）が用いられてよい。実際の測定時には、プローブピン１１とともにコモン側のプローブピン（以下、コモンプローブピンと言うことがある）が用いられるが、コモンプローブピンについては、図示が省略されている。
【００３３】
また、プローブ本体１０Ａには、電源としての電池（バッテリー）１２が内蔵されている。電池１２の正極側と負極側との間には、操作回路１３と、照明回路１４と、ワンショット回路１５と、発振回路１６と、測定器本体２０に対する送信回路１７とがそれぞれ並列に接続されている。
【００３４】
操作回路１３は、操作スイッチ１３ａと電流制限用の抵抗Ｒ１の直列回路からなる。この実施形態において、操作スイッチ１３ａは、常開型のオンオフスイッチで、測定作業者により、例えば測定開始時にオン，測定終了時にオフにされる。
【００３５】
照明回路１４には、照明用の発光ダイオード１４ａ，電流制限用の抵抗Ｒ２およびスイッチングトランジスタ１４ｂが直列に含まれ、スイッチングトランジスタ１４ｂのベースには、ベース抵抗Ｒ３を介して操作スイッチ１３ａのオン・オフ信号が加えられる。
【００３６】
発光ダイオード１４ａは、先の図３で説明した照明用発光ダイオード６と同じく、その点灯時に、プローブピン１１のピン先に向けて光を照射する。
【００３７】
ワンショット回路１５および発振回路１６は、それらの各電源端子が電池１２の正極と負極に接続され、電池１２から駆動電源を得る。
【００３８】
ワンショット回路１５は、操作スイッチ１３ａによる操作信号（オン信号もしくはオフ信号）をトリガ信号として動作し、所定時間の間、パルス信号（この例では、立ち上がりパルス信号）を発振回路１６に出力する。所定時間経過後、パルス信号は消失する。
【００３９】
発振回路１６は、ワンショット回路１５からパルスが出力されている間、所定周波数のパルスを発生する。この実施形態において、操作スイッチ１３ａによるワンショット回路１５のトリガ信号は、照明回路１４を介して与えられるようにしている。
【００４０】
送信回路１７には、送信用の発光ダイオード１７ａと、電流制限用の抵抗Ｒ４およびスイッチングトランジスタ１７ｂが直列に含まれている。スイッチングトランジスタ１７ｂのベースには、発振回路１６から所定周波数のパルスが印加され、これにより、発光ダイオード１７ａは、所定周波数のパルスに基づいて点滅する。
【００４１】
本発明において、送信回路１７は、プローブピン１１の出力端子１１ａとともにコネクタ１０Ｂに設けられ、電気ケーブル１０Ｃ内の所定の給電配線を介して電池１２に接続されている。
【００４２】
測定器本体２０は、制御部２１と計測部２２とを備えている。このほかに、測定値等を表示する表示部や操作用のファンクションキー等が設けられているが、これらの図示は省略されている。測定器本体２０は、例えばデジタルマルチメータ（ＤＭＭ）と同等の機能を備えていることが好ましい。
【００４３】
測定器本体２０は、プローブピン１１の出力端子１１ａの相手方となるレセプタクル２３を有し、プローブピン１１にて検出された測定信号は、レセプタクル２３から測定器本体２０に伝達され、図示しないＡ／Ｄ変換器を介して計測部２２に取り込まれる。
【００４４】
また、測定器本体２０は、送信回路１７の相手方となる受信回路２４を備えている。この実施形態において、受信回路２４は、フォトトランジスタ２４ａを含み、フォトトランジスタ２４ａの受信信号は制御部２１に与えられる。
【００４５】
測定にあたっては、まず、コネクタ１０Ｂを測定器本体２０に装着する。これにより、プローブピン１１の出力端子１１ａがレセプタクル２３に接続されるとともに、送信回路１７の発光ダイオード１７ａと受信回路２４のフォトトランジスタ２４ａとの光学的な組み合わせからなるフォトカプラーが構成される。また、図示しないコモンプローブピンを測定器本体２０の図示しないコモン端子に接続する。
【００４６】
次に、プローブピン１１とコモンプローブピンとを被測定体の所定部位に接触させ、操作スイッチ１３ａを押してオンにする。これにより、スイッチングトランジスタ１４ｂのベースに所定のベース電圧が印加され、スイッチングトランジスタ１４ｂが導通状態となり、照明用の発光ダイオード１４ａが点灯する。なお、操作スイッチ１３ａを押して照明用の発光ダイオード１４ａを点灯させてから、各プローブピンを被測定体に接触させてもよい。
【００４７】
その後、操作スイッチ１３ａを離してオフにする。これにより、照明用の発光ダイオード１４ａが消灯するとともに、ワンショット回路１５にトリガ信号が入り、ワンショット回路１５から、所定時間の間、立ち上がりパルス信号が出力される。
【００４８】
ワンショット回路１５からパルス信号が出されている間、発振回路１６から所定周波数のパルス信号がスイッチングトランジスタ１７ｂのベースに与えられ、これにより、送信用の発光ダイオード１７ａが点滅する。
【００４９】
測定器本体２０側では、送信用の発光ダイオード１７ａによる点滅信号をフォトトランジスタ２４ａで受光し、その受光信号が制御部２１に与えられる。
【００５０】
制御部２１は、上記受光信号が、発振回路１６の発振周波数と同一周波数のクロック信号であれば、プローブ装置１０が測定器本体２０に接続され、かつ、操作スイッチ１３ａがオフにされたと判断し、計測部２２に取り込まれた測定データをホールドし、所定の演算処理を実行し、その結果を図示しない表示部に表示する。
【００５１】
このように、プローブ装置１０と測定器本体２０との間における制御用信号（操作スイッチ信号）の伝達を所定周波数の光クロックパルスにて行うことにより、プローブ装置１０の接続・未接続の判断および制御用信号の伝達を確実に行うことができる。
【００５２】
また、通常のプローブピン（ライトや操作スイッチを持たないコモンプローブピンと同様のプローブピン）がレセプタクル２３に差し込まれて使用されたとき、フォトトランジスタ２４ａが外乱光に晒されることになるが、その外乱光による誤動作も防止することができる。
【００５３】
次に、図２の第２実施形態について説明する。上記第１実施形態と異なる点は、発振回路１６が省略されている点と、プローブ装置１０の接続・未接続の判断を磁気センサで行うようにしている点であり、そのほかの構成は上記第１実施形態と同じであってよい。
【００５４】
図２に示すように、第２実施形態では、ワンショット回路１５の出力パルス（所定時間の間出力される立ち上がりパルス）で送信回路１７内のスイッチングトランジスタ１７ｂが直接的に駆動される。
【００５５】
また、コネクタ１０Ｂには、永久磁石１８が設けられる。これに対して、測定器本体２０側には、永久磁石１８を被検出体とする磁気センサ２５が設けられる。磁気センサ２５には、例えばホール素子が用いられてよい。
【００５６】
測定に先だって、コネクタ１０Ｂを測定器本体２０に接続すると、磁気センサ２５により永久磁石１８の存在が検知され、その検知信号が制御部２１に入力される。これにより、制御部２１は、プローブ装置１０が測定器本体２０に接続されたと判断し、フォトトランジスタ２４ａからの受光信号を有効として扱う。
【００５７】
上記第１実施形態と同様に、プローブピン１１とコモンプローブピンとを被測定体の所定部位に接触させ、操作スイッチ１３ａを押してオンにすると、スイッチングトランジスタ１４ｂのベースに所定のベース電圧が印加され、スイッチングトランジスタ１４ｂが導通状態となり、照明用の発光ダイオード１４ａが点灯する。なお、操作スイッチ１３ａを押して照明用の発光ダイオード１４ａを点灯させてから、各プローブピンを被測定体に接触させてもよい。
【００５８】
その後、操作スイッチ１３ａを離してオフにすると、照明用の発光ダイオード１４ａが消灯するとともに、ワンショット回路１５にトリガ信号が入り、ワンショット回路１５から、所定時間の間、立ち上がりパルス信号が出力される。
【００５９】
この第２実施形態では、上記立ち上がりパルス信号がスイッチングトランジスタ１７ｂのベースに与えられることにより、ワンショット回路１５からパルス信号が出されている間、送信用の発光ダイオード１７ａが点灯する。
【００６０】
測定器本体２０側では、送信用の発光ダイオード１７ａによる点灯信号をフォトトランジスタ２４ａで受光し、その受光信号が制御部２１に与えられる。これにより、制御部２１は、操作スイッチ１３ａがオフにされたと判断し、計測部２２に取り込まれた測定データをホールドし、所定の演算処理を実行し、その結果を図示しない表示部に表示する。
【００６１】
磁気センサ２５から永久磁石１８の検出信号が出されない場合、制御部２１は、プローブ装置１０が未接続であると判断し、フォトトランジスタ２４ａからの受光信号が出されても、それを無効とする。
【００６２】
これにより、上記第１実施形態で説明したのと同じく、通常のプローブピンが使用されたときにおける外乱光による誤動作を防止することができる。
【００６３】
なお、上記第１および第２実施形態では、操作スイッチ１３ａがオフにされたとき、測定器本体２０側では、測定データをホールドするようにしているが、操作スイッチ１３ａがオフにされたときに、測定データをホールドさせることも可能である。
【００６４】
上記第１および第２実施形態によれば、プローブ本体１０Ａ内に電池１２を内蔵し、プローブピン照明用の発光ダイオード１４ａおよび送信用の発光ダイオード１７ａの駆動電源を内蔵電池１２より得るようにしたことにより、コネクタ１０Ｂには、測定器本体２０側からの給電用端子が不要となるため、コネクタを小型かつ簡素化し得るとともに、接続の信頼性を高めることができる。
【００６５】
また、上記第１実施形態では、プローブ装置１０と測定器本体２０との間における制御用信号（操作スイッチ信号）の伝達媒体として、所定周波数の光クロックパルスを用いるようにしたことにより、プローブ装置１０の接続・未接続の判断および制御用信号の伝達を確実に行うことができるとともに、通常のプローブピンが使用されたときにおける外乱光による誤動作を防止することができる。
【００６６】
また、上記第２実施形態では、永久磁石１８と磁気センサ２５とからなるコネクタ装着確認手段を有し、プローブ装置１０が未接続の場合には、受光素子としてのフォトトランジスタ２４ａから出力される受光信号を無効として扱うようにしたことにより、上記第１実施形態同様に、通常のプローブピンが使用されたときにおける外乱光による誤動作を防止することができる。
【符号の説明】
【００６７】
１０  プローブ装置
１０Ａ  プローブ本体
１０Ｂ  コネクタ
１０Ｃ  電気ケーブル
１１  プローブピン
１２  電池
１３  操作回路
１３ａ  操作スイッチ
１４  照明回路
１４ａ  照明用発光ダイオード
１４ｂ  スイッチングトランジスタ
１５  ワンショット回路
１６  発振回路
１７  送信回路
１７ａ  送信用発光ダイオード
１７ｂ  スイッチングトランジスタ
１８  永久磁石
２０  測定器本体
２１  制御部
２２  計測部
２３  レセプタクル
２４  受信回路
２４ａ  フォトトランジスタ
２５  磁気センサ
【図１】
0005740185.tif 000002
【図２】
0005740185.tif 000003
【図３】
0005740185.tif 000004
【図４】
0005740185.tif 000005